(57)【特許請求の範囲】
【請求項１】
アップリンク同期を確立するように非サービング基地局と協調したサービング基地局によって実行される方法であって、
専用物理ランダム・アクセス・チャネル（ＰＲＡＣＨ）伝送を実施するようにユーザ機器（ＵＥ）に命令するステップと、
前記サービング基地局が導出した第１のタイミング情報と、複数の非サービング基地局から受信した第２のタイミング情報とに従ってタイミング・アドバンス（ＴＡ）を計算するステップであって、前記タイミング・アドバンス（ＴＡ）は、関係する基地局にアップリンク伝送が到達するタイミングが前記関係する基地局の巡回プレフィックス（ＣＰ）によってカバーされることを保証するように計算されるステップと、
前記タイミング・アドバンスを前記ＵＥに送信し、前記タイミング・アドバンスに従って前記関係する基地局と前記ＵＥが前記アップリンク同期を確立することを可能にするステップとを含み、
前記第１のタイミング情報および前記第２のタイミング情報が、前記ＵＥによって実施される前記専用ＰＲＡＣＨ伝送の伝播遅延に関連付けられ、
前記複数の非サービング基地局が、前記アップリンク同期を確立するための前記タイミング・アドバンスを生成することを不可能にする非サービング基地局を含む場合には、その非サービング基地局によって提供される前記第２のタイミング情報が除外され、
前記タイミング・アドバンスが、前記第１のタイミング情報と、除外後に前記複数の非サービング基地局内に残される残りの非サービング基地局によって提供される前記第２のタイミング情報とに従って再計算される
方法。
【請求項２】
前記複数の非サービング基地局によって受信され、確立されたアップリンク同期に従って前記ＵＥによって実施されるアップリンク伝送を受信するステップと、
受信したアップリンク伝送と、前記サービング基地局で受信した前記ＵＥのアップリンク伝送とを組み合わせ、多地点協調（ＣｏＭＰ）伝送を実施するステップと
をさらに含む請求項１に記載の方法。
【請求項３】
前記専用物理ランダム・アクセス・チャネル（ＰＲＡＣＨ）伝送を実施するように前記ＵＥに命令するステップが、
その専用ＲＡＣＨプリアンブル・プールから未使用の専用ＰＲＡＣＨランダム・アクセス・コードを選択し、それを前記ＵＥに送信し、前記未使用の専用ＰＲＡＣＨランダム・アクセス・コードに基づいて前記専用ＰＲＡＣＨ伝送を実施するように前記ＵＥに要求するステップと、
選択した未使用の専用ＰＲＡＣＨランダム・アクセス・コードを前記複数の非サービング基地局に通知するステップと
を含む請求項１に記載の方法。
【請求項４】
前記サービング基地局が導出した前記第１のタイミング情報と、前記複数の非サービング基地局から受信した前記第２のタイミング情報とに従って前記タイミング・アドバンス（ＴＡ）を計算するステップが、
前記第１のタイミング情報を導出するように、前記ＵＥによって実施された前記専用ＰＲＡＣＨ伝送の検出に基づいて前記伝播遅延を推定するステップと、
推定した第１のタイミング情報と、前記複数の非サービング基地局から受信した前記第２のタイミング情報とに従って前記タイミング・アドバンスを計算するステップであって、前記複数の非サービング基地局によって前記ＵＥから受信された前記専用ＰＲＡＣＨランダム・アクセス・コードが、前記サービング基地局から受信した前記専用ＰＲＡＣＨランダム・アクセス・コードと同一であるとき、前記第２のタイミング情報が、前記複数の非サービング基地局によって前記サービング基地局にレポートされるステップと
を含む請求項３に記載の方法。
【請求項５】
専用物理ランダム・アクセス・チャネル（ＰＲＡＣＨ）伝送を実施するようにユーザ機器（ＵＥ）に命令するように構成されたトリガ・ユニット（２１０）と、
前記トリガ・ユニット（２１０）からの命令を前記ＵＥに送信するように構成された基地局トランシーバ・ユニット（２２０）と、
第１のタイミング情報を導出するように、前記ＵＥによって実施された前記専用ＰＲＡＣＨ伝送の検出に基づいて伝播遅延を推定するように構成された伝播遅延推定ユニット（２３０）と、
前記第１のタイミング情報と、複数の非サービング基地局から前記トランシーバ・ユニット（２２０）によって受信された第２のタイミング情報とに従ってタイミング・アドバンス（ＴＡ）を計算し、前記基地局トランシーバ・ユニット（２２０）を通じて前記ＵＥに前記タイミング・アドバンスを送信するように構成されたタイミング・アドバンス（ＴＡ）計算ユニット（２４０）であって、前記第１のタイミング情報および前記第２のタイミング情報が、前記ＵＥによって実施される前記専用ＰＲＡＣＨ伝送の伝播遅延に関連付けられ、前記タイミング・アドバンス（ＴＡ）は、関係する基地局にアップリンク伝送が到達するタイミングが前記関係する基地局の巡回プレフィックス（ＣＰ）によってカバーされることを保証するように計算されるＴＡ計算ユニット（２４０）と、
前記複数の非サービング基地局が、アップリンク同期を確立するための前記タイミング・アドバンスを生成することを不可能にする非サービング基地局を含む場合には、その非サービング基地局の前記第２のタイミング情報を除外するように構成された選択ユニット（２６０）と
を備え、
前記ＴＡ計算ユニット（２４０）がさらに、前記第１のタイミング情報と、除外後に前記複数の非サービング基地局内に残される残りの非サービング基地局によって提供される前記第２のタイミング情報とに従って前記タイミング・アドバンスを再計算するように構成される、基地局。
【請求項６】
専用ＰＲＡＣＨランダム・アクセス・コードを格納するように構成された記憶ユニット（２７０）をさらに備え、
前記トリガ・ユニット（２１０）がさらに、前記記憶ユニット（２７０）から未使用の専用ＰＲＡＣＨランダム・アクセス・コードを選択し、前記基地局トランシーバ・ユニット（２２０）を通じてそれを前記ＵＥに送信し、前記未使用の専用ＰＲＡＣＨランダム・アクセス・コードに基づいて前記専用ＰＲＡＣＨ伝送を実施するように前記ＵＥに要求するように構成され、前記トリガ・ユニット（２１０）がさらに、前記基地局トランシーバ・ユニット（２２０）を通じて、選択した未使用の専用ＰＲＡＣＨランダム・アクセス・コードを前記複数の非サービング基地局に通知するように構成される請求項５に記載の基地局。
【請求項７】
前記基地局トランシーバ・ユニット（２２０）を通じて、前記ＵＥからアップリンク伝送を直接受信し、前記複数の非サービング基地局によって転送され、確立されたアップリンク同期に従って前記ＵＥによって実施されたアップリンク伝送を受信し、多地点協調（ＣｏＭＰ）伝送を実施するように、前記ＵＥから直接受信した前記アップリンク伝送と、前記複数の非サービング基地局によって転送された前記アップリンク伝送とを組み合わせるように構成された多地点協調ユニット（２５０）をさらに備える請求項５に記載の基地局。
【請求項８】
ユーザ機器（ＵＥ）からの専用物理ランダム・アクセス・チャネル（ＰＲＡＣＨ）伝送を検出するように構成された検出ユニット（３１０）と、
タイミング情報を導出するように、前記検出ユニット（３１０）によって検出された前記専用ＰＲＡＣＨ伝送に従って伝播遅延を推定し、前記検出ユニット（３１０）を通じて前記ＵＥのサービング基地局にタイミング・アドバンスを計算するための前記タイミング情報を送信するように構成された遅延推定ユニット（３２０）であって、前記タイミング・アドバンスは、関係する基地局にアップリンク伝送が到達するタイミングが前記関係する基地局の巡回プレフィックス（ＣＰ）によってカバーされることを保証するように計算される遅延推定ユニット（３２０）と
を備える基地局であって、
前記基地局がアップリンク同期を確立するための前記タイミング・アドバンスを生成することを不可能にする場合には、前記基地局の前記タイミング情報は前記タイミング・アドバンスの計算から除外され、
前記タイミング・アドバンスが、前記サービング基地局によって提供される第１のタイミング情報と、前記基地局の除外後に残される残りの非サービング基地局によって提供される第２のタイミング情報とに従って再計算される、基地局。
【請求項９】
前記検出ユニット（３１０）がさらに、前記サービング基地局から第１の専用ランダム・アクセス・コードの情報を受信するように構成され、前記遅延推定ユニット（３２０）がさらに、検出した専用ＰＲＡＣＨ伝送が、前記第１の専用ランダム・アクセス・コードと同一の第２の専用ランダム・アクセス・コードを含む場合、前記タイミング情報を導出するように、検出した専用ＰＲＡＣＨ伝送の伝播遅延を推定するように構成される請求項８に記載の基地局。
【請求項１０】
前記検出ユニット（３１０）がさらに、前記タイミング・アドバンスに従って前記アップリンク同期が確立された後に前記ＵＥによって実施されるアップリンク伝送を検出し、検出したアップリンク伝送を前記ＵＥの前記サービング基地局に転送し、多地点協調（ＣｏＭＰ）伝送を実施するように構成される請求項８に記載の基地局。
【請求項１１】
ユーザ機器（ＵＥ）のサービング基地局から専用物理ランダム・アクセス・チャネル（ＰＲＡＣＨ）伝送命令およびタイミング・アドバンス（ＴＡ）を受信するように構成されたＵＥトランシーバ・ユニット（４１０）であって、前記ＴＡが、ＵＥのサービング基地局自体によって導出されたＵＥによって実施された前記専用ＰＲＡＣＨ伝送の伝播遅延の第１のタイミング情報と、複数の非サービング基地局から受信されたＵＥによって実施された専用ＰＲＡＣＨ伝送の伝播遅延の第２のタイミング情報の両方に従ってＵＥのサービング基地局によって計算されたタイミング・アドバンスであり、前記タイミング・アドバンスは、関係する基地局にアップリンク伝送が到達するタイミングが前記関係する基地局の巡回プレフィックス（ＣＰ）によってカバーされることを保証するように計算されるＵＥトランシーバ・ユニット（４１０）と、
受信した専用ＰＲＡＣＨ伝送命令に従って前記専用ＰＲＡＣＨ伝送を実施するように構成されたＰＲＡＣＨ伝送ユニット（４２０）と、
受信したＴＡに従ってアップリンク伝送を実施するように構成されたアップリンク（ＵＬ）伝送ユニット（４３０）と
を備えるＵＥであって、
前記複数の非サービング基地局が、アップリンク同期を確立するための前記タイミング・アドバンスを生成することを不可能にする非サービング基地局を含む場合には、その非サービング基地局によって提供される前記第２のタイミング情報が除外され、
前記タイミング・アドバンスが、前記第１のタイミング情報と、除外後に前記複数の非サービング基地局内に残される残りの非サービング基地局によって提供される前記第２のタイミング情報とに従って再計算される、ＵＥ。
【請求項１２】
請求項５乃至７のいずれか１項に記載の基地局、請求項８乃至１０のいずれか１項に記載の基地局、および請求項１１に記載のユーザ機器を備え、前記請求項５乃至７のいずれか１項に記載の基地局は前記ユーザ機器のサービング基地局として動作し、前記請求項８乃至１０のいずれか１項に記載の基地局は非サービング基地局として動作するとき、請求項１乃至４のいずれか１項に記載の方法によって、アップリンク同期が確立される通信システム。
【発明の詳細な説明】
【技術分野】
【０００１】
本発明はワイヤレス通信技術に関し、より詳細には、アップリンク同期を実装する方法およびデバイスに関する。
【背景技術】
【０００２】
アップリンク（ＵＬ）多地点協調（ＣｏＭＰ）が、ＬＴＥアドバンスト・システムでＵＬ容量を向上させるための重要な候補として３６．８１４で受諾された。ＵＬ  ＣｏＭＰでは、複数の基地局（ＢＳ）がＵＥからＵＬ伝送を受信するように構成され、受信された信号が組み合わされ、合成利得が得られる。ＵＬ  ＣｏＭＰの実装に関する最も重要なベースラインは、すべての関係する基地局がＵＥからＵＬ伝送を受信できなればならないこと、すなわちＵＥと関係する基地局との間の異なる伝播遅延を解決するように、ＵＥがＵＬ伝送の前にすべての関係する基地局とＵＬ同期を実施すべきであることである。例えば、図６に示すように、ＵＬ  ＣｏＭＰを実施すべきである場合、関係する基地局ＢＳ１およびＢＳ２に関する伝播遅延ｔ１とｔ２との差によるこの問題を解決しなければならない。
【０００３】
一般的に言えば、ＵＬ同期は、ＵＥの伝送が、関係する基地局の巡回プレフィックス（ＣＰ）のカバレッジ内で関係する基地局に到達することを意味し、そうではなく、ＵＬ伝送が基地局のＣＰのカバレッジの前または後で基地局に到達する場合、影響を受ける基地局は、このＵＬ伝送を正しく復号化することができず、したがってＵＬ  ＣｏＭＰを達成することができない。この場合、この問題を解決するために実現可能な解決策が与えられる。ＵＥのＵＬ伝送が基地局のＣＰのカバレッジ中に基地局に到達することを保証するために、直接的な方法は、異なる伝播遅延の影響をなくすように、より長いＣＰを設計することである。図７に示すように、図７では、ＢＳ１とＢＳ２の両方に対するＵＬ伝送がＣＰのカバレッジ内にある。しかし、この解決策は以下の欠点を有する。
【０００４】
１．様々なＵＬ  ＣｏＭＰシナリオをカバーするように最適なＣＰ長を決定することは非常に困難である。例えば、関係する基地局に対する伝播遅延が同様であるシナリオでは、短いＣＰ長で十分であるが、伝播遅延が劇的に変化するシナリオには適用できない。さらに、長いＣＰは、伝播遅延が同様であるシナリオではリソースの浪費となる。
２．この長いＣＰにより、オーバヘッドが大きくなり、ＵＬ容量の損失となる。その理由は、データを送信するのに使用すべきシンボルが、この場合は拡張されたＣＰによって占有されるためである。
３．この解決策はレガシーＵＥをサポートすることができない。
４．ＵＬ  ＣｏＭＰをスケジューリングすることができるのは長いＣＰ長を有するフレームのみであるので、スケジューリング柔軟性が制限される。
【発明の概要】
【発明が解決しようとする課題】
【０００５】
本発明の実施形態は、上記の問題を解決するためにＵＬ同期を確立する方法およびシステムを提案する。
【課題を解決するための手段】
【０００６】
本発明の一態様によれば、アップリンク同期を確立する方法が提供される。この方法は、専用ＰＲＡＣＨ伝送を実施するようにＵＥに命令すること、およびそれ自体で導出した第１のタイミング情報と、複数の非サービング基地局から受信した第２のタイミング情報とに従ってタイミング・アドバンス（ＴＡ）を計算し、タイミング・アドバンスをＵＥに送信し、タイミング・アドバンスに従って関係する基地局とＵＥがアップリンク同期を確立することを可能にすることを含み、第１のタイミング情報および第２のタイミング情報が、ＵＥによって実施される専用ＰＲＡＣＨ伝送の伝播遅延に関連付けられる。
【０００７】
本発明の別の態様によれば、専用ＰＲＡＣＨ伝送を実施するようにＵＥに命令するトリガ・ユニットと、トリガ・ユニットからの命令をＵＥに送信するように構成された基地局トランシーバ・ユニットと、第１のタイミング情報を導出するように、ＵＥによって実施された専用ＰＲＡＣＨ伝送の検出に基づいて伝播遅延を推定するように構成された伝播遅延推定ユニットと、第１のタイミング情報と、複数の非サービング基地局からトランシーバ・ユニット（２２０）によって受信された第２のタイミング情報とに従ってタイミング・アドバンス（ＴＡ）を計算し、基地局トランシーバ・ユニットを通じてＵＥにタイミング・アドバンスを送信するように構成されたＴＡ計算ユニットであって、第１のタイミング情報および第２のタイミング情報が、ＵＥによって実施される専用ＰＲＡＣＨ伝送の伝播遅延に関連付けられるＴＡ計算ユニットとを含む基地局が提供される。
【０００８】
本発明の別の態様によれば、ＵＥからの専用ＰＲＡＣＨ伝送を検出するように構成された検出ユニットと、タイミング情報を導出するように、検出ユニットによって検出された専用ＰＲＡＣＨ伝送に従って伝播遅延を推定し、検出ユニットを通じてＵＥのサービング基地局にタイミング情報を送信し、タイミング・アドバンスを計算するように構成された遅延推定ユニットとを含む基地局が提供される。
【０００９】
本発明の別の態様によれば、ＵＥのサービング基地局から専用ＰＲＡＣＨ伝送命令およびＴＡを受信するように構成されたＵＥトランシーバ・ユニットであって、ＴＡが、ＵＥのサービング基地局自体によって導出されたＵＥによって実施された専用ＰＲＡＣＨ伝送の伝播遅延のタイミング情報と、他の基地局から受信されたＵＥによって実施された専用ＰＲＡＣＨ伝送の伝播遅延のタイミング情報の両方に従ってＵＥのサービング基地局によって計算されたタイミング・アドバンスであるＵＥトランシーバ・ユニットと、受信した専用ＰＲＡＣＨ伝送命令に従って専用ＰＲＡＣＨ伝送を実施するように構成されたＰＲＡＣＨ伝送ユニットと、受信したＴＡに従ってアップリンク伝送を実施するように構成されたＵＬ伝送ユニットとを含むユーザ機器（ＵＥ）が提供される。
【００１０】
本発明の別の態様によれば、上記の基地局およびユーザ機器を備える通信システムが提供される。
【００１１】
上記の解決策に基づいて、ＵＬ  ＣｏＭＰについてＵＥとすべての関係する基地局との間の同期を確立することが容易であること、ＵＥのソフトウェア、ハードウェア、またはプロトコルに修正を加えることなく後方互換性がサポートされること、およびＣＰを拡張する必要ないので容量およびスケジューリング柔軟性に影響がない点でアドバンテージ・ラインである。
【００１２】
添付の図面と共に以下の詳細な説明から本発明の利点がより明らかとなるであろう。
【図面の簡単な説明】
【００１３】
【図１】本発明の一実施形態によるＵＬ  ＣｏＭＰのためのシステムの略図である。
【図２】本発明の一実施形態によるＵＬ  ＣｏＭＰのためのサービング基地局のブロック図である。
【図３】本発明の一実施形態によるＵＬ  ＣｏＭＰのための非サービング基地局のブロック図である。
【図４】本発明の一実施形態によるＵＬ  ＣｏＭＰのためのＵＥのブロック図である。
【図５】本発明の一実施形態によるＵＬ  ＣｏＭＰのための方法の流れ図である。
【図６】ＵＥと、異なる基地局との間の伝播遅延の略図である。
【図７】従来技術の異なる伝播遅延に対処する方式の略図である。
【発明を実施するための形態】
【００１４】
次に、添付の図面を参照しながら本発明の好ましい実施形態を詳細に説明する。本発明の理解を曖昧にしないように、説明では本発明に必要ではない詳細および機能を省略する。
【００１５】
本発明の一実施形態では、図１に示すアップリンク同期のためのシステムを提案し、このシステムは、以下の基地局およびユーザ機器（ＵＥ）を含む。
【００１６】
さらに、図２に示す基地局を提案し、基地局は、専用物理ランダム・アクセス・チャネル（ＰＲＡＣＨ）伝送を実施するようにＵＥに命令するように構成されたトリガ・ユニット２１０と、トリガ・ユニットからの命令をＵＥに送信するように構成された基地局トランシーバ・ユニット２２０と、第１のタイミング情報を導出するように、ＵＥによって実施された専用ＰＲＡＣＨ伝送の検出に基づいて伝播遅延を推定するように構成された伝播遅延推定ユニット２３０と、第１のタイミング情報と、複数の非サービング基地局（ＮＳＢＳ）からトランシーバ・ユニット２２０によって受信された第２のタイミング情報とに従ってタイミング・アドバンスを計算し、基地局トランシーバ・ユニット２２０を通じてＵＥにタイミング・アドバンスを送信するように構成されたタイミング・アドバンス（ＴＡ）計算ユニット２４０とを含み、第１のタイミング情報および第２のタイミング情報は、ＵＥによって実施される専用ＰＲＡＣＨ伝送の伝播遅延に関連付けられる。
【００１７】
基地局は、基地局トランシーバ・ユニット２２０を通じて、ＵＥからアップリンク伝送を直接受信し、複数の非サービング基地局によって転送され、確立されたアップリンク同期に従ってＵＥによって実施されたアップリンク伝送を受信し、ＣｏＭＰ伝送を実施するように、ＵＥから直接受信したアップリンク伝送と、複数の非サービング基地局によって転送されたアップリンク伝送とを組み合わせるように構成された多地点協調メイン・ユニット２５０をさらに含む。
【００１８】
基地局は、複数の非サービング基地局が、アップリンク同期を確立するためのタイミング・アドバンスを生成することを不可能にする非サービング基地局を含むとき、非サービング基地局の第２のタイミング情報を除外するように構成された選択ユニット２６０をさらに含む。ＴＡ計算ユニットはさらに、第１のタイミング情報と、除外後に複数の非サービング基地局内に残される残りの非サービング基地局によって提供される第２のタイミング情報とに従ってタイミング・アドバンスを再計算するように構成される。
【００１９】
基地局は、専用ＰＲＡＣＨランダム・アクセス・コードを格納するように構成された記憶ユニット２７０をさらに含む。トリガ・ユニット２１０はさらに、記憶ユニット２７０から未使用の専用ＰＲＡＣＨランダム・アクセス・コードを選択し、基地局トランシーバ・ユニット２２０を通じてそれをＵＥに送信し、未使用の専用ＰＲＡＣＨランダム・アクセス・コードに基づいて専用ＰＲＡＣＨ伝送を実施するようにＵＥに要求するように構成される。トリガ・ユニット２１０はさらに、基地局トランシーバ・ユニット２２０を通じて、選択した未使用の専用ＰＲＡＣＨランダム・アクセス・コードを複数の非サービング基地局に通知するように構成される。
【００２０】
さらに、図３に示す基地局を提案し、基地局は、ＵＥからの専用ＰＲＡＣＨ伝送を検出するように構成された検出ユニット３１０と、タイミング情報を導出するように、検出ユニット３１０によって検出された専用ＰＲＡＣＨ伝送に従って伝播遅延を推定し、検出ユニット３１０を通じてＵＥのサービング基地局にタイミング情報を送信し、タイミング・アドバンスを計算するように構成された遅延推定ユニット３２０とを含む。
【００２１】
さらに、検出ユニット３１０はさらに、サービング基地局から第１の専用ランダム・アクセス・コードの情報を受信するように構成される。検出した専用ＰＲＡＣＨ伝送が、第１の専用ランダム・アクセス・コードと同一の第２の専用ランダム・アクセス・コードを含む場合、遅延推定ユニット３２０はさらに、タイミング情報を導出するように、検出した専用ＰＲＡＣＨ伝送の伝播遅延を推定するように構成される。
【００２２】
検出ユニット３１０はさらに、タイミング・アドバンスに従ってアップリンク同期が確立された後にＵＥによって実施されるアップリンク伝送を検出し、検出したアップリンク伝送をＵＥのサービング基地局に転送し、ＣｏＭＰ伝送を実施するように構成される。
【００２３】
さらに、図４に示すユーザ機器（ＵＥ）を提案し、ＵＥは、ＵＥのサービング基地局から専用ＰＲＡＣＨ伝送命令およびＴＡを受信するように構成されたＵＥトランシーバ・ユニット４１０であって、ＴＡが、ＵＥのサービング基地局自体によって導出されたＵＥによって実施された専用ＰＲＡＣＨ伝送の伝播遅延のタイミング情報と、他の基地局から受信されたＵＥによって実施された専用ＰＲＡＣＨ伝送の伝播遅延のタイミング情報の両方に従ってＵＥのサービング基地局によって計算されたタイミング・アドバンスであるＵＥトランシーバ・ユニット４１０と、受信した専用ＰＲＡＣＨ伝送命令に従って専用ＰＲＡＣＨ伝送を実施するように構成されたＰＲＡＣＨ伝送ユニット４２０と、受信したＴＡに従ってＵＬ伝送を実施するように構成されたＵＬ伝送ユニット４３０とを含む。
【００２４】
本発明の実施形態での基地局およびＵＥを別々の機能モジュールによって説明するが、実際の適用例では、図２〜４に示すそれぞれの構成要素を複数のデバイスで実装することができ、実際の適用例では、添付の図に示す複数の構成要素を単一のチップまたは単一の装置に一体化することができる。基地局およびＵＥは、他の目的のために任意の他のユニットおよび手段をさらに含むことができる。
【００２５】
次に、上述の基地局およびユーザ機器（例えば、ＵＥ）の特定の構造および動作プロセスを図５と共に詳細に説明する。ＵＬ  ＣｏＭＰシナリオでは、本発明の一実施形態は、コンテンション・フリーＰＲＡＣＨ伝送戦略を利用する。特定のステップを図５に示す。
【００２６】
ステップＳ５１０では、サービング基地局（ＳＢＳ）のトリガ・ユニット２１０が、その専用ＲＡＣＨプリアンブル・プールから未使用の専用ランダム・アクセス・コードを選択し、基地局トランシーバ・ユニット２２０を通じて、それをすべての関係する非サービング基地局に通知する。サービング基地局はまた、選択した専用ランダム同期コードに基づいて専用ＰＲＡＣＨ伝送を実施するようにＵＥに要求する。
【００２７】
ステップＳ５２０では、ＵＥのＰＲＡＣＨ伝送ユニット４２０が、それに応じて専用ＰＲＡＣＨ伝送を実施する。
【００２８】
ステップＳ５３０では、非サービング基地局の検出ユニット３１０が専用ＰＲＡＣＨ伝送を検出し、遅延推定ユニット３２０が、検出した専用ＰＲＡＣＨ伝送に従って伝播遅延を推定する。同時に、サービング基地局の伝播遅延推定ユニット２３０が、基地局トランシーバ・ユニット２２０によって検出された専用ＰＲＡＣＨ伝送に従って伝播遅延を推定する。非サービング基地局によってＵＥから受信された専用ＰＲＡＣＨランダム・アクセス・コードがサービング基地局から受信したものと同一であるとき、非サービング基地局は、伝送ユニット４２０を通じて伝播遅延の推定タイミング情報をレポートする。
【００２９】
ステップＳ５４０では、サービング基地局のＴＡ計算ユニット２４０が、関係する基地局にＵＬ伝送が到達するタイミングが基地局のＣＰによってカバーされることを保証するように、受信したタイミング情報（すなわち第２のタイミング情報）と、その伝播遅延推定ユニット２３０によって推定されるタイミング情報（すなわち第１のタイミング情報）とに従って新しいＴＡコマンドを求める。次いで、サービング基地局は、基地局トランシーバ・ユニット２２０を通じてＵＥにＴＡコマンドを配信する。
【００３０】
ステップＳ５５０では、ＵＥのＵＬ伝送ユニット４３０が、ＵＥトランシーバ・ユニットによって受信されたＴＡコマンドを使用して、すべての関係する基地局のＵＬ同期を実施する。
【００３１】
ＵＬ同期を確立した後、ＵＥはＵＬ伝送を開始することができる。非サービング基地局の検出ユニット３１０がＵＬ伝送を検出した場合、ＵＬ伝送がサービング基地局に転送される。サービング基地局は、ＵＥからのＵＬ伝送と、基地局トランシーバ・ユニット２２０を通じて非サービング基地局によって転送されたＵＬ伝送とを受信し、それらを多地点協調ユニット２５０によって組み合わせる。
【００３２】
本発明の実施形態によって提供される解決策を使用して、ＵＥがＵＬ  ＣｏＭＰ技術を利用することができるかどうかを判定することもできる。例えば、サービング局が、ＵＬ伝送がＣＰのカバレッジの最短／最長の伝播遅延以内に基地局に到達することを保証することができるＴＡコマンドを見つけることができない場合、ＵＥのＵＬ伝送を受信することのできない基地局があるので、ＵＥはＵＬ  ＣｏＭＰを利用することができない。あるいは、別の観点からは、この解決策は、ＵＥに対するサービスを提供するために適切な基地局を選ぶことができる。例えば、サービング基地局の選択ユニット２６０が、そのＣＰがＵＥのＵＬ伝送をカバーすることのできる基地局を選択し、ＵＥのＵＬ  ＣｏＭＰセットに入れることができる。
【００３３】
本発明の実施形態でのＵＬ  ＣｏＭＰ実装に関して、ベースラインは、ＵＥがすべての関係する基地局に対してＵＬ同期を確立することである。図１に示すように、すべての関係する基地局は、ＵＥに対するその伝播遅延を測定し、伝播遅延の情報を交換し、ＵＥのＵＬ伝送がすべてそのＣＰによってカバーされるように、事前定義されたタイミング・アドバンス・コマンドを生成する。図１では、ｔ４が最短の伝播遅延であり、ｔ３が最大の伝播遅延であると仮定する。次いで、ＣＰのカバレッジ内のＢＳ４およびＢＳ３へのＵＬ伝送到達を保証するようにＴＡコマンドを求めることができる。例えば、ＵＬ伝送がＣＰの始めにＢＳ４に到達し、ＣＰの終わりにＢＳ３に到達する。ＵＬ伝送がＣＰのカバレッジ内にＢＳ１およびＢＳ２にも到達することは明らかである。したがって、ＵＥとすべての関係するＢＳとの間のＵＬ同期が確立される。
【００３４】
上述の解決策では、ＵＥの観点からは、ＵＥが行う必要があるのは、専用ＰＲＡＣＨ伝送を実施し、新しいＴＡコマンドを採用し、新しいＴＡコマンドを受信したときにＵＬ伝送を実施することである。ＬＴＥでの一般的なＵＥの動作と比べて、プロトコルまたはソフトウェアに対する修正が不要である。この点から、本発明が提案する解決策によって後方互換性がサポートされる。さらに、通常のＣＰ長が採用されるので、追加のオーバヘッドまたはＵＬ容量に対する影響が生じない。
【００３５】
プログラムされたコンピュータによって上記の方法の様々なステップを実施できることを当業者は直ちに理解されよう。本明細書では、ある実施形態は、機械可読またはコンピュータ可読プログラム記憶デバイス、例えばデジタル・データ記憶媒体、および機械またはコンピュータによって実行可能な符号化プログラム命令を含むことができ、前記命令は、上記の方法のステップの一部またはすべてを実施する。プログラム記憶デバイスは、例えば、デジタル・メモリ、磁気ディスクや磁気テープなどの磁気記憶媒体、ハード・ドライブ、または光可読デジタル・データ記憶媒体でよい。実施形態はまた、上記の方法のステップを実施するようにプログラムされたコンピュータをも包含するものとする。
【００３６】
この説明および図面は本発明の原理を示すに過ぎない。したがって、本明細書で明示的に説明または図示していないが、本発明の原理を実施し、本発明の趣旨および範囲内に含まれる様々な構成を当業者が考案できることを理解されよう。さらに、本明細書に記載のすべての例は主に、当技術分野を進歩させることに対して本発明者が寄与する本発明の原理および概念を読者が理解するのを助ける教示目的に過ぎず、そのように具体的に記載した例および条件に対する限定として解釈すべきでないことが明確に意図される。さらに、本発明の原理、態様、および実施形態、ならびにその特定の例を記載する本明細書のすべての陳述は、その均等物を包含するものとする。
【００３７】
上記の説明は、本発明を実施する実施形態としての役割を果たすに過ぎず、本発明の範囲から逸脱しない任意の修正または局所的置換が、特許請求の範囲によって定義される本発明の範囲内にあることを当業者は理解されたい。したがって、本発明の保護範囲は、特許請求の範囲の保護範囲に従う。
【図１】
0005748749.tif 000002
【図２】
0005748749.tif 000003
【図３】
0005748749.tif 000004
【図４】
0005748749.tif 000005
【図５】
0005748749.tif 000006
【図６】
0005748749.tif 000007
【図７】
0005748749.tif 000008